【手続補正書】
【提出日】令和3年4月19日(2021.4.19)
【手続補正１】
【補正対象書類名】明細書
【補正対象項目名】００７９
【補正方法】変更
【補正の内容】
【００７９】
上で論じたように形成したラミネート基板を低放射率コーティングでさらにコーティングして、特定のラミネート材料および低放射率コーティングの組み合わせが相乗的に機能して、特に紫外線スペクトル内の一定の波長の光から、下地の光学活性材料をどのようにより良好に保護することができるかを理解した。特定のコーティングは、米国Ｓｐｒｉｎｇ  Ｇｒｅｅｎ，ＷｉｓｃｏｎｓｉｎのＣａｒｄｉｎａｌ  ＣＧ  Ｃｏｍｐａｎｙから市販されているＬｏＥ−３６６（商標）低放射率コーティングを使用した。試験の結果は、図８に示され、特定のラミネート材料と適切な低放射率コーティングとの組み合わせが、ＵＶスペクトル内の、特に可視光スペクトルに近いＵＶ内の実質的にすべての光を減衰させ、潜在的に、ＵＶ劣化の影響を受け易い下地の光学活性層に対する高められた保護を提供することができたことを示している。
本開示には、以下に例示する実施形態も開示される。
［実施形態１］
プライバシーガラス構造であって、
第１の透明材料の窓ガラスと、
前記第１の透明材料の窓ガラスと略平行である第２の透明材料の窓ガラスと、
窓ガラス間の空間を画定するために、前記第１の透明材料の窓ガラスと前記第２の透明材料の窓ガラスとの間に位置付けられたスペーサであって、周囲環境とのガス交換から前記窓ガラス間の空間を封止し、かつ前記第１の透明材料の窓ガラスを前記第２の透明材料の窓ガラスからある分離距離に保持する、スペーサと、
前記第１の透明材料の窓ガラスおよび前記第２の透明材料の窓ガラスと略平行である第３の透明材料の窓ガラスと、
前記第３の透明材料の窓ガラスと略平行である第４の透明材料の窓ガラスと、
前記第３の透明材料の窓ガラスと前記第４の透明材料の窓ガラスとの間に位置付けられた電気的に制御可能な光学活性材料と、
前記第２の透明材料の窓ガラスを前記第３の透明材料の窓ガラスに接着しているラミネート層であって、普通であれば前記電気的に制御可能な光学活性材料に影響を与えるはずの紫外線光に対するバリアを提供する、ラミネート層と、
前記第１の透明材料の窓ガラス、および前記窓ガラス間の空間に面する前記第２の透明材料の窓ガラスのうちの少なくとも１つの内面の低放射率コーティングと、を備える、プライバシーガラス構造。
［実施形態２］
前記ラミネート層が、７５パーセント未満のＴ３９５を呈する、実施形態１に記載の構造。
［実施形態３］
前記ラミネート層が、５５パーセント未満のＴ３９５を呈する、実施形態１に記載の構造。
［実施形態４］
前記第１の透明材料の窓ガラスが、テンパーガラスであり、前記第２の、第３の、および第４の透明材料の窓ガラスが、それぞれ熱強化されていないガラスで形成される、実施形態１〜３のいずれか一項に記載の構造。
［実施形態５］
前記ラミネート層が、０．０１０インチ（０．２５４ｍｍ）〜０．１インチ（２．５４ｍｍ）の範囲の厚さを有するポリビニルブチラールを含む、実施形態１〜４のいずれか一項に記載の構造。
［実施形態６］
前記低放射率コーティングが、１つ以上の透明誘電体フィルムの層の間に挿入された１つ以上の赤外線反射膜の層を備える、実施形態１〜５のいずれか一項に記載の構造。
［実施形態７］
前記低放射率コーティングが、銀を含む２つまたは３つの層を備える、実施形態１〜６のいずれか一項に記載の構造。
［実施形態８］
前記構造が、前記第１の透明材料の窓ガラス、前記第２の透明材料の窓ガラス、前記第３の透明材料の窓ガラス、前記ラミネート層、および前記低放射率コーティングの組み合わせを通して、５パーセント未満のＴ３９５を呈する、実施形態１〜７のいずれか一項に記載の構造。
［実施形態９］
前記第１の透明材料の窓ガラスが、外部環境に面するように構成された前記構造の＃１表面を形成し、前記低放射率コーティングが、前記第１の透明材料の窓ガラスの前記内面にある、実施形態１〜８のいずれか一項に記載の構造。
［実施形態１０］
前記第１の透明材料の窓ガラス、前記第２の透明材料の窓ガラス、および前記第３の透明材料の窓ガラスのうちの少なくとも１つが、前記第４の透明材料の窓ガラスの厚さよりも厚い厚さを有する、実施形態１〜９のいずれか一項に記載の構造。
［実施形態１１］
前記第１の透明材料の窓ガラスが、前記第２の透明材料の窓ガラス、前記第３の透明材料の窓ガラス、および前記第４の透明材料の窓ガラスの各々の厚さよりも厚い厚さを有する、実施形態１〜１０のいずれか一項に記載の構造。
［実施形態１２］
第５の透明材料の窓ガラスをさらに備え、前記ラミネート層が、前記第１のラミネート層を備え、第２のラミネート層をさらに備え、前記第２のラミネート層が、前記第４の透明材料の窓ガラスを前記第５の透明材料の窓ガラスに接着している、実施形態１〜１１のいずれか一項に記載の構造。
［実施形態１３］
前記第１のラミネート層が、第１の厚さを画定し、前記第２のラミネート層が、第２の厚さを画定し、前記第１の厚さが、前記第２の厚さと異なる、実施形態１２に記載の構造。
［実施形態１４］
前記第１の厚さを前記第２の厚さで除算した比が、２〜１０の範囲である、実施形態１２または１３のいずれかに記載の構造。
［実施形態１５］
第１の厚さが、０．０２５インチ（０．６３５ｍｍ）〜０．１インチ（２．５４ｍｍ）の範囲であり、前記第２の厚さが、０．００５インチ（０．１２７ｍｍ）〜０．０２インチ（５．０８ｍｍ）の範囲である、実施形態１２〜１４のいずれか一項に記載の構造。
［実施形態１６］
前記第１のラミネートおよび前記第２のラミネートが、それぞれ同じ材料で形成される、実施形態１２〜１５のいずれか一項に記載の構造。
［実施形態１７］
前記構造が、順番に、
前記第１の透明材料の窓ガラスと、
前記第１の透明材料の窓ガラスの前記内面に堆積させた前記低放射率コーティングと、
前記窓ガラス間の空間と、
前記第２の透明材料の窓ガラスと、
前記ラミネート層と、
前記第３の透明材料の窓ガラスと、
前記第３の透明材料の窓ガラスに堆積させた第１の導電層と、
前記電気的に制御可能な光学活性材料と、
前記第４の透明材料の窓ガラスに堆積させた第２の導電層と、
前記第４の透明材料の窓ガラスと、を備える、実施形態１〜１６のいずれか一項に記載の構造。
［実施形態１８］
前記スペーサによって画定される前記分離距離が、５ｍｍ〜２０ｍｍの範囲である、実施形態１〜１７のいずれか一項に記載の構造。
［実施形態１９］
前記構造内の透明材料の窓ガラスの各々が、ガラスで形成される、実施形態１〜１８のいずれか一項に記載の構造。
［実施形態２０］
前記スペーサが、管状スペーサを含む、実施形態１〜１９のいずれか一項に記載の構造。
［実施形態２１］
前記電気的に制御可能な光学活性材料が、電場の印加に応答して変動する光透過率を有する液晶材料である、実施形態１〜２０のいずれか一項に記載の構造。
［実施形態２２］
前記電気的に制御可能な光学活性材料が、エレクトロクロミック材料および懸濁粒子材料からなる群から選択される、実施形態１〜２０のいずれか一項に記載の構造。
［実施形態２３］
プライバシーガラス構造であって、
第１の窓ガラスと、
前記第１の窓ガラスと略平行である第２の窓ガラスと、
窓ガラス間の空間を画定するために、前記第１の窓ガラスと前記第２の窓ガラスとの間に位置付けられたスペーサであって、周囲環境とのガス交換から前記窓ガラス間の空間を封止し、かつ前記第１の窓ガラスを前記第２の窓ガラスからある分離距離に保持する、スペーサと、
前記第１の窓ガラスおよび前記第２の窓ガラスと略平行である第３の窓ガラスと、
前記第３の窓ガラスと略平行である第４の窓ガラスと、
前記第３の窓ガラスと前記第４の窓ガラスとの間に位置付けられた、電場の印加に応答して変動する光透過率を有する液晶材料と、
前記第２の窓ガラスを前記第３の窓ガラスに接着している第１のラミネート層と、
前記第４の窓ガラスと略平行である第５の窓ガラスと、
前記第４の窓ガラスを前記第５の窓ガラスに接着している第２のラミネート層であって、
前記第１の窓ガラスが、テンパーガラスであり、
前記第２の、第３の、第４の、および第５の窓ガラスが、それぞれ熱強化されていないガラスで形成される、プライバシーガラス構造。
［実施形態２４］
前記第１のラミネート層が、少なくとも０．７ｍｍの厚さを有し、前記第２のラミネート層が、少なくとも０．３５ｍｍの厚さを有する、実施形態２３に記載の構造。
［実施形態２５］
前記第２のラミネート層が、前記第１のラミネート層よりも薄い、実施形態２３または２４のいずれかに記載の構造。
［実施形態２６］
前記第１の透明材料の窓ガラスおよび前記窓ガラス間の空間に面する前記第２の透明材料の窓ガラスのうちの少なくとも１つの内面に低放射率コーティングをさらに備える、実施形態２３〜２５のいずれか一項に記載の構造。
［実施形態２７］
前記第１の窓ガラスが、２．５ｍｍ〜５ｍｍの範囲の厚さを有し、前記第２の窓ガラスが、２．２ｍｍ〜３．９ｍｍの範囲の厚さを有し、前記第１のラミネート層が、０．７５ｍｍ〜２．３ｍｍの範囲の厚さを有し、前記第３の窓ガラスが、１．８ｍｍ〜３．９ｍｍの範囲の厚さを有し、前記第４の窓ガラスは、１．８ｍｍ〜３．９ｍｍの範囲の厚さを有し、前記第２のラミネート層が、０．３７５ｍｍ〜０．７５ｍｍの範囲の厚さを有し、前記第５の窓ガラスが、２．０ｍｍ〜３．０ｍｍの範囲の厚さを有する、実施形態２３〜２６のいずれか一項に記載の構造。
［実施形態２８］
前記構造が、順番に、
前記第１の窓ガラスと、
前記窓ガラス間の空間と、
前記第２の窓ガラスと、
前記第１のラミネート層と、
前記第３の窓ガラスと、
前記第３の透明材料の窓ガラスに堆積させた第１の導電層と、
前記液晶材料と、
前記第４の透明材料の窓ガラスに堆積させた第２の導電層と、
前記第４の窓ガラスと、
前記第２のラミネート層と、
前記第５の窓ガラスと、を備える、実施形態２３〜２７のいずれか一項に記載の構造。
［実施形態２９］
前記窓ガラス間の空間に面する前記第１の窓ガラスの内面に堆積させた低放射率コーティングをさらに備える、実施形態２８に記載の構造。
［実施形態３０］
前記第１のラミネート層および前記第２のラミネート層のが、それぞれポリビニルブチラールを含む、実施形態２３〜２９のいずれか一項に記載の構造。
【手続補正２】
【補正対象書類名】特許請求の範囲
【補正対象項目名】全文
【補正方法】変更
【補正の内容】
【特許請求の範囲】
【請求項１】
プライバシーガラス構造であって、
第１の透明材料の窓ガラスと、
前記第１の透明材料の窓ガラスと略平行である第２の透明材料の窓ガラスと、
窓ガラス間の空間を画定するために、前記第１の透明材料の窓ガラスと前記第２の透明材料の窓ガラスとの間に位置付けられたスペーサであって、周囲環境とのガス交換から前記窓ガラス間の空間を封止し、かつ前記第１の透明材料の窓ガラスを前記第２の透明材料の窓ガラスからある分離距離に保持する、スペーサと、
前記第１の透明材料の窓ガラスおよび前記第２の透明材料の窓ガラスと略平行である第３の透明材料の窓ガラスと、
前記第３の透明材料の窓ガラスと略平行である第４の透明材料の窓ガラスと、
前記第３の透明材料の窓ガラスと前記第４の透明材料の窓ガラスとの間に位置付けられた電気的に制御可能な光学活性材料と、
前記第２の透明材料の窓ガラスを前記第３の透明材料の窓ガラスに接着しているラミネート層であって、普通であれば前記電気的に制御可能な光学活性材料に影響を与えるはずの紫外線光に対するバリアを提供する、ラミネート層と、
前記第１の透明材料の窓ガラス、および前記窓ガラス間の空間に面する前記第２の透明材料の窓ガラスのうちの少なくとも１つの内面の低放射率コーティングと、を備える、プライバシーガラス構造。
【請求項２】
前記ラミネート層が、７５パーセント未満のＴ３９５を呈する、請求項１に記載の構造。
【請求項３】
前記第１の透明材料の窓ガラスが、テンパーガラスであり、前記第２の、第３の、および第４の透明材料の窓ガラスが、それぞれ熱強化されていないガラスで形成される、請求項１または２に記載の構造。
【請求項４】
前記ラミネート層が、０．０１０インチ（０．２５４ｍｍ）〜０．１インチ（２．５４ｍｍ）の範囲の厚さを有するポリビニルブチラールを含む、請求項１〜３のいずれか一項に記載の構造。
【請求項５】
前記構造が、前記第１の透明材料の窓ガラス、前記第２の透明材料の窓ガラス、前記第３の透明材料の窓ガラス、前記ラミネート層、および前記低放射率コーティングの組み合わせを通して、５パーセント未満のＴ３９５を呈する、請求項１〜４のいずれか一項に記載の構造。
【請求項６】
前記第１の透明材料の窓ガラスが、外部環境に面するように構成された前記構造の＃１表面を形成し、前記低放射率コーティングが、前記第１の透明材料の窓ガラスの前記内面にある、請求項１〜５のいずれか一項に記載の構造。
【請求項７】
前記第１の透明材料の窓ガラス、前記第２の透明材料の窓ガラス、および前記第３の透明材料の窓ガラスのうちの少なくとも１つが、前記第４の透明材料の窓ガラスの厚さよりも厚い厚さを有する、請求項１〜６のいずれか一項に記載の構造。
【請求項８】
前記第１の透明材料の窓ガラスが、前記第２の透明材料の窓ガラス、前記第３の透明材料の窓ガラス、および前記第４の透明材料の窓ガラスの各々の厚さよりも厚い厚さを有する、請求項１〜７のいずれか一項に記載の構造。
【請求項９】
第５の透明材料の窓ガラスをさらに備え、前記ラミネート層が、第１のラミネート層を備え、第２のラミネート層をさらに備え、前記第２のラミネート層が、前記第４の透明材料の窓ガラスを前記第５の透明材料の窓ガラスに接着している、請求項１〜８のいずれか一項に記載の構造。
【請求項１０】
前記第１のラミネート層が、第１の厚さを画定し、前記第２のラミネート層が、第２の厚さを画定し、前記第１の厚さが、前記第２の厚さと異なる、請求項９に記載の構造。
【請求項１１】
前記第１の厚さを前記第２の厚さで除算した比が、２〜１０の範囲である、請求項９または１０のいずれかに記載の構造。
【請求項１２】
第１の厚さが、０．０２５インチ（０．６３５ｍｍ）〜０．１インチ（２．５４ｍｍ）の範囲であり、前記第２の厚さが、０．００５インチ（０．１２７ｍｍ）〜０．０２インチ（５．０８ｍｍ）の範囲である、請求項９〜１１のいずれか一項に記載の構造。
【請求項１３】
前記第１のラミネートおよび前記第２のラミネートが、それぞれ同じ材料で形成される、請求項９〜１２のいずれか一項に記載の構造。
【請求項１４】
前記構造が、順番に、
前記第１の透明材料の窓ガラスと、
前記第１の透明材料の窓ガラスの前記内面に堆積させた前記低放射率コーティングと、
前記窓ガラス間の空間と、
前記第２の透明材料の窓ガラスと、
前記ラミネート層と、
前記第３の透明材料の窓ガラスと、
前記第３の透明材料の窓ガラスに堆積させた第１の導電層と、
前記電気的に制御可能な光学活性材料と、
前記第４の透明材料の窓ガラスに堆積させた第２の導電層と、
前記第４の透明材料の窓ガラスと、を備える、請求項１〜１３のいずれか一項に記載の構造。
【請求項１５】
前記構造内の透明材料の窓ガラスの各々が、ガラスで形成され、前記電気的に制御可能な光学活性材料が、電場の印加に応答して変動する光透過率を有する液晶材料である、請求項１〜１４のいずれか一項に記載の構造。